(57)【要約】  農業用車両は、実質的に水平の支持部分の対間に構成された屈曲部分によって画定された屈曲構成を有するシャーシと、シャーシの前部作動セクションに支持された第１の対の車輪と、シャーシの後部作動セクションに支持された第２の対の車輪と、シャーシの屈曲部分に枢動可能に連結された少なくとも１つの取り付けリンクであって、少なくとも１つの取り付けリンクの１つの端部は、シャーシの屈曲部分上に構成された支持部材に枢動可能に連結される、取り付けリンクと、少なくとも１つの取り付けリンクの別の端部に結合された農業用ツールと、農業用ツールに結合されて、作動上の垂直方向への農業用ツールの変位を容易にする変位機構と、第２の対の車輪の実質的に上方のシャーシ上に構成された座席設備と、ステアリング機構とを備える。【選択図】図１Ａ
2022501071.tif 000002
【特許請求の範囲】
【請求項１】
農業用車両（１００、１００Ａ、および１００Ｂ）であって、
ａ．実質的に水平の支持部分（１０２Ｂ）の対の間に構成された屈曲部分（１０２Ａ）によって画定された屈曲構成を有するシャーシ（１０２）と、
ｂ．前記実質的に水平の支持部分（１０２Ｂ）の対の一方の上の前記シャーシ（１０２）の前部作動セクションに支持された第１の対の車輪（１０４Ａ）と、
ｃ．前記実質的に水平の支持部分（１０２Ｂ）の対の一方の上の前記シャーシ（１０２）の後部作動セクションに支持された第２の対の車輪（１０４Ｂ）であって、前記第１の対の車輪（１０４Ａ）および前記第２の対の車輪（１０４Ｂ）を設けることにより、前記農業用車両（１００）に安定性が提供される、第２の対の車輪（１０４Ｂ）と、
ｄ．前記シャーシ（１０２）の前記屈曲部分（１０２Ａ）に枢動可能に連結された少なくとも１つの取り付けリンク（１０６）であって、第１の作動端部（１０６Ａ）と、第２の作動端部（１０６Ｂ）とを有し、前記少なくとも１つの取り付けリンク（１０６）の前記第１の作動端部（１０６Ａ）は、前記シャーシ（１０２）の前記屈曲部分（１０２Ａ）上に構成された支持部材（１０２Ｄ）に枢動可能に連結される、取り付けリンク（１０６）と、
ｅ．前記少なくとも１つの取り付けリンク（１０６）の前記第２の作動端部（１０６Ｂ）に結合された農業用ツール（１０８）と、
ｆ．前記農業用ツール（１０８）に結合され、作動上の垂直方向への前記農業用ツール（１０８）の変位を容易にするように構成された変位機構（１１０）であって、前記少なくとも１つの取り付けリンク（１０６）と前記屈曲部分（１０２Ａ）の枢動連結により、前記作動垂直方向への前記農業用ツール（１１０）の変位が容易にされる、変位機構（１１０）と、
ｇ．前記第２の対の車輪（１０４Ｂ）の実質的に上方の前記シャーシ（１０２）上に構成された座席設備（１２４）と、
ｈ．前記座席設備（１２４）の作動上前方の位置において前記シャーシ上に支持されたステアリング機構（１２２）とを備える、農業用車両。
【請求項２】
前記取り付けリンク（１０６）の数が、１つであり、前記支持部材（１０２Ｄ）上に支持される、請求項１に記載の農業用車両（１００、１００Ａおよび１００Ｂ）。
【請求項３】
前記取り付けリンク（１０６）の数が２つである、請求項１に記載の農業用車両（１００、１００Ａおよび１００Ｂ）。
【請求項４】
前記取り付けリンク（１０６）の１つが、前記農業用ツール（１１０）を支持するために前記支持部材（１０２Ｄ）の各端部に構成される、請求項３に記載の農業用車両（１００、１００Ａおよび１００Ｂ）。
【請求項５】
前記支持部材（１０２Ｄ）は、端部スリーブ（１０６Ａ’）が嵌合された円筒状部材であり、前記端部スリーブ（１０６Ａ’）は、前記少なくとも１つの取り付けリンク（１０６）の前記第１の端部（１０６Ａ）上に設けられる、請求項４に記載の農業用車両（１００、１００Ａおよび１００Ｂ）。
【請求項６】
前記変位機構（１１０）が、一次変位機構（１１２）を備え、前記一次変位機構（１１２）は、
ａ．前記屈曲部分（１０２Ａ）の作動上端上に支持された雌ねじ付きハウジング（１１２Ａ）と、
ｂ．前記雌ねじ付きハウジング（１１２Ａ）と螺合可能に係合して設けられるハンドル（１１２Ｃ）を伴うねじ（１１２Ｂ）であって、前記農業用ツール（１０８）は、前記ねじ（１１２Ｂ）の作動底端に結合され、前記ねじ（１１２Ｂ）と前記雌ねじ付きハウジング（１１２Ａ）の螺合可能な係合により、前記作動垂直方向への前記農業用ツール（１０８）の変位が容易になる、ハンドル（１１２Ｃ）を伴うねじ（１１２Ｂ）とを備える、請求項１に記載の農業用車両（１００、１００Ａおよび１００Ｂ）。
【請求項７】
前記変位機構（１１０）が、二次変位機構（１１４）をさらに備え、前記二次変位機構（１１４）は、
ａ．前記雌ねじ付きハウジング（１１２Ａ）に一体的に連結された、または取り付けられた、複数の開口を有するプレート（１１４Ａ）と、
ｂ．前記屈曲部分（１０２Ａ）の作動上端における支持位置に構成された開口を備えた少なくとも１つのブラケット（１１８）であって、前記プレート（１１４）は、前記ブラケット（１１８）内に配設されて、前記プレート（１１４Ａ）の１つの開口と前記ブラケット（１１８）上の開口を位置合わせして、ピンがその中に配設されて前記雌ねじ付きハウジング（１１２Ａ）を所望の高さにロックすることを可能にし、それによって前記農業用ツール（１０８）を所望の高さに調整する、ブラケット（１１８）とを備える、請求項６に記載の農業用車両（１００、１００Ａおよび１００Ｂ）。
【請求項８】
前記変位機構（１１０）が、油圧式シリンダを備える、請求項１に記載の農業用車両（１００、１００Ａおよび１００Ｂ）。
【請求項９】
前記第１の対の車輪（１０４Ａ）に駆動力を提供するように構成された動力発生源（１２０）をさらに備える、請求項１に記載の農業用車両（１００、１００Ａおよび１００Ｂ）。
【請求項１０】
前記ステアリング機構（１２２）が、前記第２の対の車輪（１０４Ｂ）を操縦するのを容易にするように構成される、請求項１に記載の農業用車両（１００、１００Ａおよび１００Ｂ）。
【発明の詳細な説明】
【技術分野】
【０００１】
本開示は、農業分野に関する。詳細には、本開示は、コンパクトな農業用車両に関する。
【背景技術】
【０００２】
トラクタなどの農業用車両が、当技術分野において知られている。トラクタは、耕起する、砕土する、ならすなどのさまざまなタイプの土壌準備作業を土地に対して実行することを容易にする。通常、土壌準備作業を実行するための道具は、トラクタの後端に取り付けられ、さらにトラクタ上に設けられた座席設備の後方に作動可能に位置する。このため、トラクタの作業者は、その作業が最適に実行されているかを監督するために作業している土地を振り返って見ることが絶えず必要とされる。これは、作業者にとって極めて面倒なものになり得る。また、トラクタのサイズはかさばる。このため、トラクタを使用すると、通常、農作物植え込みの密度が低減され、それによって農場の生産性に影響を及ぼし得る。より具体的には、トラクタのサイズがかさばることにより、農作物植え込みの２つの連続する列間に残されるスペースがより大きくなり、これは望ましくない。さらに、トラクタは、非常にコストがかかるものでもあり得る。
【０００３】
前述の欠点を克服するために、手持ち式二輪トラクタが、当技術分野において開発された。土壌準備作業を実行するために使用されるこれらの手持ち式トラクタには、道具／ツールが作業者の前に備えられ、それによって作業者は絶えず振り返ることなく作業を監督することが可能になる。他方では、手持ち式トラクタは、トラクタ上で座りながら容易に実行される作業を実行するのに多くの労力を必要とする。さらに、作業者は、土壌準備作業において所望の深さを達成するために、道具／ツール上に垂直の下方向力を手動でかける必要がある。これは望ましくない。
【０００４】
したがって、コンパクトな構成を有しながらも、作業者が土壌準備作業を実行する間座ったままでいることを可能にする農業用車両の必要性が感じられている。
【発明の概要】
【０００５】
本開示は、農業用車両を企図する。農業用車両は、実質的に水平の支持部分の対間に構成された屈曲部分によって画定された屈曲構成を有するシャーシと、実質的に水平の支持部分の対の一方の上のシャーシの前部作動セクションに支持された第１の対の車輪と、実質的に水平の支持部分の対の一方の上のシャーシの後部作動セクションに支持された第２の対の車輪であって、第１の対の車輪および第２の対の車輪が設けられることにより、農業用車両に安定性が提供される、第２の対の車輪と、シャーシの屈曲部分に枢動可能に連結された少なくとも１つの取り付けリンクであって、第１の作動端部と、第２の作動端部とを有し、少なくとも１つの取り付けリンクの第１の作動端部は、シャーシの屈曲部分上に構成された支持部材に枢動可能に連結される、取り付けリンクと、少なくとも１つの取り付けリンクの第２の作動端部に結合された農業用ツールと、農業用ツールに結合され、作動上の垂直方向への農業用ツールの変位を容易にするように構成された変位機構であって、少なくとも１つの取り付けリンクと屈曲部分の枢動連結により、作動垂直方向への農業用ツールの変位が容易にされる、変位機構と、第２の対の車輪の実質的に上方のシャーシ上に構成された座席設備と、座席設備の作動上前方の位置においてシャーシ上に支持されたステアリング機構とを備える。
【０００６】
一実施形態では、取り付けリンクの数は、１つであり、支持部材上に支持される。別の実施形態では、取り付けリンクの数は、２つである。より具体的には、取り付けリンクの１つは、農業用ツールを支持するために支持部材の各端部に構成される。
【０００７】
別の実施形態では、支持部材は、端部スリーブが嵌合された円筒状部材であり、端部スリーブは、少なくとも１つの取り付けリンクの第１の端部上に設けられる。
【０００８】
１つの実施形態では、変位機構は、一次変位機構を備える。一次変位機構は、屈曲部分の作動上端上に支持された雌ねじ付きハウジングと、雌ねじ付きハウジングと螺合可能に係合して設けられるハンドルを伴うねじとを備え、農業用ツールは、ねじの作動底端に結合され、ねじと雌ねじ付きハウジングの螺合可能な係合により、作動垂直方向への農業用ツールの変位が容易になる。
【０００９】
別の実施形態では、変位機構は、二次変位機構をさらに備え、二次変位機構は、雌ねじ付きハウジングに一体的に連結された、または取り付けられた、複数の開口を有するプレートと、屈曲部分の作動上端における支持位置に構成された開口を備えた少なくとも１つのブラケットとを備え、プレートは、ブラケット内に配設されて、プレートの１つの開口とブラケット上の開口を位置合わせして、ピンがその中に配設されて雌ねじ付きハウジングを所望の高さにロックすることを可能にし、それによって農業用ツールを所望の高さに調整する。
【００１０】
１つの実施形態では、変位機構は、油圧式シリンダを備える。
【００１１】
別の実施形態では、農業用車両は、第１の対の車輪に駆動力を提供するように構成された動力発生源をさらに備え、ステアリング機構は、第２の対の車輪を操縦するのを容易にするように構成される。
目的
【００１２】
本開示の目的は、コンパクトな構成を有する農業用車両を提供することである。
【００１３】
本開示の目的は、手持ち式トラクタの欠点を克服しながら、手持ち式トラクタの機能性を達成する農業用車両を提供することである。
【００１４】
本開示の目的は、安定しており、使用が容易で人間工学的である農業用車両を提供することである。
【００１５】
本開示のさらなる目的は、本開示の以下の部分において明らかにされ、詳細な説明は、本開示を完全に開示するためのものであり、これにはいかなる制限も課さない。
【００１６】
上記および他の関連する目的を鑑みて、本開示は、添付の図と併用して読み取ることで以下の説明からより完全に理解されるように、構造および部材の組み合わせを詳述することにある。
【図面の簡単な説明】
【００１７】
【図１Ａ】本開示の一実施形態による農業用車両を示す図である。
【図１Ｂ】本開示の一実施形態による農業用車両を示す図である。
【図２Ａ】本開示の別の実施形態による農業用車両を示す図である。
【図２Ｂ】本開示の別の実施形態による農業用車両を示す図である。
【図３】本開示のさらに別の実施形態による農業用車両を示す図である。
【発明を実施するための形態】
【００１８】
従来のトラクタおよび手持ち式トラクタの欠点を本開示の前項において説明してきた。従来のトラクタおよび手持ち式トラクタの欠点を克服するために、本開示は、コンパクトで、安定しており、作業者にとって人間工学的である農業用車両に向けられる。
【００１９】
本開示では、用語「備える(comprise)」または「備える（comprises）」または「備えている(comprising)」などの変形形態は、述べた要素、整数、もしくはステップ、または要素、整数、またはステップのグループを含むが、任意の他の要素、整数、もしくはステップ、または要素、整数、もしくはステップのグループを排除しないことを含意する。
【００２０】
さらに、「少なくとも」または「少なくとも１つ」という表現の使用は、所望の目的または結果の１つまたは複数を達成するために本主題の実施形態において使用され得るとき、１つまたは複数の要素または成分または数量の使用を示唆する。
【００２１】
本開示による農業用車両１００（車両１００としても呼ばれる）をこれ以後、図１Ａおよび図１Ｂを参照して説明する。車両１００は、屈曲構成を有するシャーシ１０２を備える。シャーシの屈曲構成は、実質的に水平の支持部分１０２Ｂの対間に形成された屈曲部分１０２Ａによって画定される。本開示による車両１００は、コンパクトである。車両１００のコンパクト性は、従来の手持ち式トラクタのものに匹敵する。しかし、２つの前輪のみを有する手持ち式トラクタとは異なり、本開示の車両１００は、前輪の対１０４Ａと、後輪の対１０４Ｂとを有する。４つの車輪の存在により、従来の手持ち式トラクタと比較して向上した機械的安定性が車両１００に与えられる。より具体的には、車輪が２つではなく４つ存在することにより、あらゆる種類の転覆関連の事故が防止される。
【００２２】
車両１００は、第１の作動端部１０６Ａと、第２の作動端部１０６Ｂとを有する少なくとも１つの取り付けリンク１０６をさらに備える。少なくとも１つの取り付けリンク１０６の第１の作動端部１０６Ａは、屈曲部分１０２Ａ上の位置に枢動可能に連結される。１つの実施形態では、この位置は、取り付けリンクの第１の作動端部１０６Ａが、屈曲部分１０２Ａ上に設けられた支持部材１０２Ｄに連結されるところである。より具体的には、支持部材１０２Ｄは、用途の要求事項ごとに、屈曲部分１０２Ａからの任意の最適な位置から延びる。１つの実施形態では、支持部材１０２Ｄは、円筒状部材であり、この円筒状部材上では、第１の作動端部１０６Ａには端部スリーブ１０６Ａ’が設けられ、この端部スリーブは、支持部材１０２Ｄまたは屈曲部分１０２Ａに対する取り付けリンク１０６の枢動運動を容易にするのに十分な隙間が端部スリーブ１０６Ａ’と支持部材１０２Ｄとの間に存在するように、支持部材１０２Ｄに嵌合する。
【００２３】
車両１００は、第２の作動端部１０６Ｂに連結された農業用ツール１０８をさらに備える。一実施形態では、農業用ツールは、耕うんツール、耕起ツール、砕土ツール、畝作りツールなどからなる群からの任意のものであることができる。変位機構１１０が、農業用ツール１０８に結合され、作動上の垂直方向への農業用ツール１０８の変位を容易にするように構成され、少なくとも１つの取り付けリンク１０６と屈曲部分１０２Ａの枢動連結により、作動垂直方向への農業用ツールの変位が容易になる。図１Ａおよび図１Ｂに示す実施形態では、取り付けリンク１０６の数は２つであり、各取り付けリンク１０６は、農業用ツール１０８の各端部に設けられて、農業用ツール１０８の端部と屈曲部分１０２Ａの端部との間の連結を容易にする。
【００２４】
図１Ａおよび図１Ｂに示す実施形態では、変位機構１１０は、一次変位機構１１２と、二次変位機構１１４とを備える。
【００２５】
一次変位機構１１２は、屈曲部分１０２Ａの作動上端上に支持された雌ねじ付きハウジング１１２Ａを備える。ハンドル１１２Ｃ付きのねじ１１２Ｂが、雌ねじ付きハウジング１１２Ａと螺合可能に係合して収容されるように設けられる。農業用ツール１０８は、ねじ１１２Ｂの作動底端に結合され、ねじ１１２Ｂは、雌ねじ付きハウジング１１２Ａと螺合可能に係合して雌ねじ付きハウジング１１２Ａ内のねじ１１２Ｂの線形変位を容易にし、それによって作動垂直方向への農業用ツール１０８の変位を容易にする。より具体的には、ねじ１１２Ｂは、その作動底端においてカップリングブラケット１１６に連結される。カップリングブラケット１１６は、農業用ツール１０８の作動端部と連結し、ねじ１１２Ｂの線形変位によって引き起こされた運動を農業用ツール１０８に直接伝え、それによって農業用ツール１０８の作動高さを変化させる。
【００２６】
二次変位機構１１４は、プレート１１４Ａを備え、このプレートは、その上に複数の開口が構成され、雌ねじ付きハウジング１１２Ａに一体的に連結されるかまたは取り付けられる。二次変位機構１１４は、屈曲部分１０２Ａの上端における支持位置に構成された開口を備えた少なくとも１つのブラケット１１８をさらに備える。プレート１１４Ａは、プレート１１４Ａの１つの開口とブラケット１１８上の開口を位置合わせするようにブラケット１１８内に配設されて、その中にピンを配設して雌ねじ付きハウジング１１２Ａを所望の高さにロックすることを可能にし、それによって農業用ツール１０８を所望の高さに調整する。二次変位機構１１４は、２つの機能を提供し、すなわち、二次変位機構１１４は、雌ねじ付きシリンダ１１２Ａを屈曲部分１０２Ａに結合させ、その一方で農業用ツール１０８の作動高さの調整も可能にする。
【００２７】
変位機構１１０は、農業用ツール１０８の作動高さの調整を可能にする。従来の手持ち式トラクタでは、作業者は、所望の作動高さを達成するためにツール上に下方向の作動垂直力を手動でかける必要があったため、作業者にとって極めて面倒なものであった。本開示による車両１００は、変位機構１１０を使用して前述の欠点を克服する。
【００２８】
車両の別の実施形態が、図２Ａおよび図２Ｂに示される。図２Ａおよび図２Ｂに示す車両１００Ａは、図１Ａおよび図１Ｂに示すような車両１００に類似するものである。したがって、車両１００および車両１００Ａ内のすべての同様の要素は、簡単にするために同様の番号によって参照される。また、車両１００および車両１００Ａの同様の要素の説明は、本開示を簡潔にするために本明細書では繰り返されない。車両１００と車両１００Ａとの間の唯一の相違は、取り付けリンク１０６の構成にある。図２Ａおよび図２Ｂに見られるように、１つの取り付けリンク１０６が、農業用ツール１０８の実質的に中央部分に連結するように屈曲部分１０２Ａ上に設けられる。前の実施形態のように、取り付けリンク１０６の１つの端部は、屈曲部分１０２Ａに枢動可能に連結され、その一方で他方の端部は、農業用ツール１０８に結合される。
【００２９】
車両の別の実施形態が、図３に示される。図３に示す車両１００Ｂは、図１Ａおよび図１Ｂに示すような車両１００に類似するものである。したがって、車両１００および車両１００Ｂ内のすべての同様の要素は、簡単にするために同様の番号によって参照される。また、車両１００および車両１００Ｂの同様の要素の説明は、本開示を簡潔にするために本明細書では繰り返されない。唯一の相違は、変位機構にある。図３に見られるような変位機構１１０は、油圧式シリンダ１１０Ａを備える油圧機構であり、農業用ツール１０８は、油圧式シリンダ１１０Ａに結合される。レバー１１０Ｂが、油圧式シリンダ１１０Ａの作動を制御するために設けられる。より具体的には、農業用ツール１０８の作動高さは、油圧式シリンダ１１０Ａを介して制御される。
【００３０】
農業用車両１００、１００Ａ、および１００Ｂは、前輪の対１０４Ａと、後輪の対１０Ｂとをさらに備え、車両１００、１００Ａ、および１００Ｂの動力発生源１２０は、前輪１０４Ａの対に駆動力を提供し、ステアリング機構１２２は、後輪１０４Ｂの操縦を容易にする。代替の実施形態では、動力発生源１２０はまた、後輪１０４Ｂの対に駆動力を提供するように構成することもでき、それによって農業用車両１００を２輪駆動から４輪駆動に変換する。農業用車両１００、１００Ａ、および１００Ｂは、座席設備１２４をさらに備え、この座席設備は、後輪の対１０４Ａの上方に実質的に作動可能に設けられて、作業者がその上に座り、車両を作動させるのを可能にする。農業用ツール１０８だけが車両１００上に設けることができるツールではないことに留意されたい。座席設備１２４の下方に作動可能に設けられたフック機構１２６を使用して、追加のツールを車両１００に連結することもできる。このツールは、トローリ、土ならし器などであってよい。このフック機構は、簡単なピンタイプのアタッチメントまたはミニトラクタのような油圧式リフトとの３点連結装置であることができる。
【００３１】
後輪１０４Ｂの実質的に上方に座席設備１２４を設けることにより、作業者が、車両１００、１００Ａ、および１００Ｂによって実行されている農業作業を絶えず振り返ることなく容易に監督することが可能になる。さらに、この座席設備１２４により、作業者が座ったままで車両１００、１００Ａ、および１００Ｂを作動させることが可能になり、その一方でステアリング機構１２２により、作業者が座りながら車両１００、１００Ａおよび１００Ｂを操縦することが可能になる。これらの特徴のすべてにより、車両１００、１００Ａ、および１００Ｂは、従来のトラクタと比較してよりコンパクトになり、手持ち式トラクタと比較してその使用はより便利になる。
【００３２】
前述の説明は、本開示の目的および利点の最適な理解を伝える。さまざまな実施形態が、本開示の発明的概念から作り出され得る。本明細書において開示するすべての内容は、例示的にすぎず、限定的意味では解釈されないことを理解されたい。
【００３３】
添付の図に例示し、先行する説明において詳述した実施形態／態様を参照して、さまざまな特徴および有益な事項が、完全に明らかにされる。当業者が良く認識している技術、方法、構成要素、および装置の説明、または本主題に関係する分野の共通の一般的知識からのものは、本主題に焦点をあてる目的で、また本主題およびその有利な特徴を曖昧にしないために説明および／または紹介されない。それと同時に、本明細書において詳細な説明および特有の例で説明する本主題およびその特徴は、限定的ではなく例示としてのみ与えられる。当業者は、基礎となる発明的概念の趣旨および／または範囲内に入ると考えられるさまざまな代替的置換、改変形態、追加、および／または再構成を考えてよく、また考えることができることを理解されたい。
【図１Ａ】
2022501071.tif 000003
【図１Ｂ】
2022501071.tif 000004
【図２Ａ】
2022501071.tif 000005
【図２Ｂ】
2022501071.tif 000006
【図３】
2022501071.tif 000007
【国際調査報告】
2022501071.tif 000008
2022501071.tif 000009